【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
適応的ストリーミング技術に従ってコンテンツのストリーミングデータを供給するコンテンツ供給装置において、
前記ストリーミングデータをセグメント毎にファイル化し、その結果得られるセグメントファイルを双方向通信網を介してHTTP配信するHTTP配信部と、
前記セグメントファイルをマルチキャスト配信するマルチキャスト配信部と、
前記HTTP配信、または前記マルチキャスト配信される前記セグメントファイルを受信するための情報を記述したメタファイルを生成し、受信側に供給するメタファイル生成部と
を備えるコンテンツ供給装置。
【請求項２】
前記メタファイル生成部は、前記メタファイルとして拡張されたMPDを生成する
請求項１に記載のコンテンツ供給装置。
【請求項３】
前記メタファイル生成部は、前記マルチキャスト配信される前記セグメントファイルを受信するために必要な、マルチキャストアドレス、チューニングパラメータのデータ形式識別子、および前記チューニングパラメータを含むserviceLocationAttributeファイルの取得先アドレスを記述した前記MPDを生成する
請求項２に記載のコンテンツ供給装置。
【請求項４】
前記マルチキャスト配信は、前記双方向通信網を介するマルチキャスト配信、および放送網を介する放送配信を含む
請求項１から３のいずれかに記載のコンテンツ供給装置。
【請求項５】
前記MPDは、前記双方向通信網を介したHTTP配信、放送網を介した放送配信、または前記双方向通信網を介したマルチキャスト配信により、コンテンツの受信側に供給される
請求項２から４のいずれかに記載のコンテンツ供給装置。
【請求項６】
前記マルチキャスト配信部は、前記セグメントファイルを格納した一方向ファイル転送プロトコルパケットを生成するとともに、前記一方向ファイル転送プロトコルパケットに格納された前記セグメントファイルの属性情報を記述した、拡張されたFDTを生成し、前記一方向ファイル転送プロトコルパケットおよび前記FDTをマルチキャスト配信する
請求項２に記載のコンテンツ供給装置。
【請求項７】
適応的ストリーミング技術に従ってコンテンツのストリーミングデータを供給するコンテンツ供給装置のコンテンツ供給方法において、
前記コンテンツ供給装置による、
前記ストリーミングデータをセグメント毎にファイル化し、その結果得られるセグメントファイルを双方向通信網を介してHTTP配信するHTTP配信ステップと、
前記セグメントファイルをマルチキャスト配信するマルチキャスト配信ステップと、
前記HTTP配信、または前記マルチキャスト配信される前記セグメントファイルを受信するための情報を記述したメタファイルを生成し、受信側に供給するメタファイル生成ステップと
を含むコンテンツ供給方法。
【請求項８】
適応的ストリーミング技術に従ってコンテンツのストリーミングデータを供給するコンピュータを、
前記ストリーミングデータをセグメント毎にファイル化し、その結果得られるセグメントファイルを双方向通信網を介してHTTP配信するHTTP配信部と、
前記セグメントファイルをマルチキャスト配信するマルチキャスト配信部と、
前記HTTP配信、または前記マルチキャスト配信される前記セグメントファイルを受信するための情報を記述したメタファイルを生成し、受信側に供給するメタファイル生成部と
して機能させるプログラム。
【請求項９】
一方向ファイル転送プロトコルプロトコルに従ってコンテンツのストリーミングデータを供給するコンテンツ供給装置において、
前記ストリーミングデータがセグメント毎にファイル化されているセグメントファイルを格納した一方向ファイル転送プロトコルパケットを生成するとともに、前記一方向ファイル転送プロトコルパケットに格納された前記セグメントファイルの属性情報を記述した、拡張されたFDTを生成し、前記一方向ファイル転送プロトコルパケットおよび前記拡張されたFDTをマルチキャスト配信するマルチキャスト配信部を
備えるコンテンツ供給装置。
【請求項１０】
前記拡張されたFDTは、Content-Location要素を含み、
前記Content-Location要素は、URLおよびrange属性を含む
請求項９に記載のコンテンツ供給装置。
【請求項１１】
前記range属性は、適応的ストリーミング技術のMPDにおけるmediaRange属性が流用される
請求項１０に記載のコンテンツ供給装置。
【請求項１２】
前記一方向ファイル転送プロトコルパケットおよび前記拡張されたFDTを放送網を介して放送配信する放送配信部を
さらに備える請求項９から１１に記載のコンテンツ供給装置。
【請求項１３】
一方向ファイル転送プロトコルプロトコルに従ってコンテンツのストリーミングデータを供給するコンテンツ供給装置のコンテンツ供給方法において、
前記コンテンツ供給装置による、
前記ストリーミングデータがセグメント毎にファイル化されているセグメントファイルを格納した一方向ファイル転送プロトコルパケットを生成するとともに、前記一方向ファイル転送プロトコルパケットに格納された前記セグメントファイルの属性情報を記述した、拡張されたFDTを生成する生成ステップと、
前記一方向ファイル転送プロトコルパケットおよび前記拡張されたFDTをマルチキャスト配信するマルチキャスト配信ステップと
含むコンテンツ供給方法。
【請求項１４】
一方向ファイル転送プロトコルプロトコルに従ってコンテンツのストリーミングデータを供給するコンピュータを、
前記ストリーミングデータがセグメント毎にファイル化されているセグメントファイルを格納した一方向ファイル転送プロトコルパケットを生成するとともに、前記一方向ファイル転送プロトコルパケットに格納された前記セグメントファイルの属性情報を記述した、拡張されたFDTを生成し、前記一方向ファイル転送プロトコルパケットおよび前記拡張されたFDTをマルチキャスト配信するマルチキャスト配信部
として機能させるプログラム。
【請求項１５】
適応的ストリーミング技術に従ってコンテンツのストリーミングデータを供給するコンテンツ供給装置と、前記ストリームデータを受信する端末装置とから成るコンテンツ供給システムにおいて、
前記コンテンツ供給装置は、
前記ストリーミングデータをセグメント毎にファイル化し、その結果得られるセグメントファイルを双方向通信網を介してHTTP配信するHTTP配信部と、
前記セグメントファイルを格納した一方向ファイル転送プロトコルパケットを生成するとともに、前記一方向ファイル転送プロトコルパケットに格納された前記セグメントファイルの属性情報を記述した、拡張されたFDTを生成し、前記一方向ファイル転送プロトコルパケットおよび前記拡張されたFDTをマルチキャスト配信するマルチキャスト配信部と、
前記HTTP配信、または前記マルチキャスト配信される前記セグメントファイルを受信するための情報を記述したMPDを生成し、前記端末装置に供給するMPD生成部とを備え、
前記端末装置は、
取得した前記MPDに基づいて前記HTTP配信された前記セグメントファイルを受信するとともに、取得した前記MPDに基づいてserviceLocationAttributeファイルを取得し、前記serviceLocationAttributeファイルに基づいてマルチキャスト配信された、前記拡張されたFDTを受信し、前記拡張されたFDTに基づいて前記セグメントファイルが格納された前記一方向ファイル転送プロトコルパケットを受信する
コンテンツ供給システム。